【手続補正書】
【提出日】平成21年4月21日(2009.4.21)
【手続補正１】
【補正対象書類名】明細書
【補正対象項目名】特許請求の範囲
【補正方法】変更
【補正の内容】
【特許請求の範囲】
【請求項１】
操作部に対する一連の操作で１ゲームが実行され、１ゲーム内の操作部の操作によって
第１課題と第２課題を選択して達成可能であり、第１課題を達成すると遊技者に利益とな
る第１特典が付与され、第２課題を達成すると第１特典よりも遊技者に利益となる期待値
が小さい第２特典が付与される遊技機であって、
第２特典が付与された場合には、その終了後に第３特典が付与されることを特徴とする
遊技機。
【請求項２】
請求項１に記載の遊技機において、第３特典が複数用意されており、遊技者が第３特典
を選択する手段が設けられていることを特徴とする遊技機。
【請求項３】
請求項１または請求項２に記載の遊技機において、始動操作部が操作されると内部状態
を抽選するとともに図柄表示器で複数の図柄列を変動表示し、
図柄列毎に設けられた停止操作部が所定のタイミングおよび／または順序で操作される
と内部状態に対応した組合せ図柄を停止表示し、特定内部状態に対応して第１組合せ図柄
と第２組合せ図柄のいずれをも停止表示可能であり、
第１課題の達成は第１組合せ図柄の停止表示であり、
第２課題の達成は第２組合せ図柄の停止表示であり、
第１組合せ図柄と第２組合せ図柄のいずれが停止表示されても特定遊技が開始され、第
１特典と第２特典は、特定遊技における遊技媒体の総払出数の期待値であることを特徴と
する遊技機。
【請求項４】
請求項３に記載の遊技機において、第３特典は、特定内部状態が抽選される確率の増加
であることを特徴とする遊技機。
【請求項５】
請求項３に記載の遊技機において、特別内部状態が抽選された場合に、特別内部状態に
対応した特別組合せ図柄を停止表示させる停止操作部の操作を容易にする特別情報を報知
する手段が設けられており、
第３特典は特別情報が報知される確率の増加、または特別情報の報知回数の増加である
ことを特徴とする遊技機。
【請求項６】
請求項３乃至請求項５のいずれかに記載の遊技機において、第１特典で得られる遊技媒
体の期待値と、第２特典と第３特典で得られる遊技媒体の総数の期待値がほぼ等しいこと
を特徴とする遊技機。
【請求項７】
始動操作部が操作されると図柄表示器で複数の図柄列を変動表示し、図柄列毎に設けら
れた停止操作部が全て操作されると組合せ図柄を停止表示する遊技機であって、
第１操作部と、第２操作部と、第１操作部と第２操作部が接続された制御部とを備えて
おり、
制御部は、所定の組合せ図柄が停止表示された場合に、第１操作部と第２操作部の操作
を有効化し、第１操作部が操作されると遊技者に利益となる第１特典を付与し、第２操作
部が操作されると第１特典よりも遊技者に利益となる期待値が小さい第２特典を付与し、
第２特典が付与された場合には、その終了後に第３特典を付与することを特徴とする遊技
機
【手続補正２】
【補正対象書類名】明細書
【補正対象項目名】０００７
【補正方法】変更
【補正の内容】
【０００７】
（手段２）  請求項１に記載の遊技機において、第３特典が複数用意されており、遊技者
が第３特典を選択する手段が設けられていることが好ましい（請求項２）。  第３特典を
選択することができると、遊技態様の変化をより大きくすることができる。
【手続補正３】
【補正対象書類名】明細書
【補正対象項目名】０００８
【補正方法】変更
【補正の内容】
【０００８】
（手段３）  請求項１または請求項２に記載の遊技機において、始動操作部が操作される
と内部状態を抽選するとともに図柄表示器で複数の図柄列を変動表示し、図柄列毎に設け
られた停止操作部が所定のタイミングおよび／または順序で操作されると内部状態に対応
した組合せ図柄を停止表示し、特定内部状態に対応して第１組合せ図柄と第２組合せ図柄
のいずれをも停止表示可能であり、第１課題の達成は第１組合せ図柄の停止表示であり、
第２課題の達成は第２組合せ図柄の停止表示であり、第１組合せ図柄と第２組合せ図柄の
いずれが停止表示されても特定遊技が開始され、第１特典と第２特典は、特定遊技におけ
る遊技媒体の総払出数の期待値であることが好ましい。
上記の遊技機によれば、第１組合せ図柄と第２組合せ図柄のいずれが停止表示されても
特定遊技が開始される。そして、停止操作部を操作して第２組合せ図柄を停止表示させる
と、第１組合せ図柄を停止表示させるよりも特定遊技において遊技媒体の総払出数に対す
る期待値が小さくなる。よって、遊技者は、第１組合せ図柄と第２組合せ図柄のどちらを
停止表示させるのかを決めて停止操作部を操作することにより、特定遊技において遊技媒
体の総払出数に対する期待値を大きくするか、小さくするかを選択することができる。
従って、例えば、遊技者がついていると感じている場合には、達成すれば特定遊技にお
いて遊技媒体の総払出数に対する期待値が大きい第１組合せ図柄の停止表示を試みること
ができる。逆に、ついていないと感じている場合には、達成しても特定遊技において遊技
媒体の総払出数に対する期待値が小さい第２組合せ図柄の停止表示を試み、その後に第３
特典が付与されるようにすることができる。  よって、遊技者は自分の考えによるつきの
波に対応した選択を行いつつ遊技していると認識し、面白く遊技することができる。
なお、ここで期待値とは、ある遊技における遊技媒体の総払出数がどの程度になるかの
可能性を意味する。
【手続補正４】
【補正対象書類名】明細書
【補正対象項目名】０００９
【補正方法】変更
【補正の内容】
【０００９】
（手段４）  請求項３に記載の遊技機において、第３特典は、特定内部状態が抽選される
確率の増加であることが好ましい。
特定内部状態が抽選される確率が増加すると、特定遊技が行われる可能性が高くなる。
よって、遊技がより面白くなる。
【手続補正５】
【補正対象書類名】明細書
【補正対象項目名】００１０
【補正方法】変更
【補正の内容】
【００１０】
（手段５）  請求項３に記載の遊技機において、特別内部状態が抽選された場合に、特別
内部状態に対応した特別組合せ図柄を停止表示させる停止操作部の操作を容易にする特別
情報を報知する手段が設けられており、第３特典は特別情報が報知される確率の増加、ま
たは特別情報の報知回数の増加であることが好ましい。
特別情報が報知される確率の増加、または特別情報の報知回数の増加が行われると、遊
技がより面白くなる。
【手続補正６】
【補正対象書類名】明細書
【補正対象項目名】００１１
【補正方法】変更
【補正の内容】
【００１１】
（手段６）  請求項３乃至請求項５のいずれかに記載の遊技機において、第１特典で得ら
れる遊技媒体の期待値と、第２特典と第３特典で得られる遊技媒体の総数の期待値がほぼ
等しいことが望ましい。
上記の遊技機によれば、第１特典が行われても、第２特典が行われても、遊技者にとっ
て大きく不公平にならない。
【手続補正７】
【補正対象書類名】明細書
【補正対象項目名】００１２
【補正方法】変更
【補正の内容】
【００１２】
（手段７）  始動操作部が操作されると図柄表示器で複数の図柄列を変動表示し、図柄列
毎に設けられた停止操作部が全て操作されると組合せ図柄を停止表示する遊技機であって
、  第１操作部と、第２操作部と、第１操作部と第２操作部が接続された制御部とを備え
ており、  制御部は、所定の組合せ図柄が停止表示された場合に、第１操作部と第２操作
部の操作を有効化し、第１操作部が操作されると遊技者に利益となる第１特典を付与し、
第２操作部が操作されると第１特典よりも遊技者に利益となる期待値が小さい第２特典を
付与し、第２特典が付与された場合には、その終了後に第３特典を付与することを特徴と
する遊技機。
上記の遊技機は、所定の組合せ図柄が停止表示された場合に、第１操作部と第２操作部
を有効化する。第１操作部が操作されると遊技者に利益となる第１特典を付与し、第２操
作部が操作されると第１特典よりも遊技者に利益となる期待値が小さい第２特典を付与す
る。そして第２特典が付与された場合には、その終了後に第３特典を付与する。よって、
遊技者は、自分の考えに従ったつきの波に対応した選択を行いながら遊技していると認識
し、面白く遊技することができる。